(57)【要約】【課題】  便器の種類を問わず着脱を容易かつ正確にして、その形状・大きさを工夫して飛散を防止したり、取付角度を変更できるようにした。【解決手段】  小便器１０の突出部１０ａの幅Ｈよりも幅広の部分Ｈ１を有する半楕円形状に本体受け部２が設けられるとともに、小便器１０の突出部１０ａにおいてその内側と外側から挟み込むように取り付けられる引っ掛け部５，６が設けられている。引っ掛け部５は、外部から固定され、その左右の引っ掛け部６は、便器の内側から引っ掛けられて、両者で挟み込むと、所定角度で取り付けられる。【選択図】  図２
2020026629.tif 000002
【特許請求の範囲】
【請求項１】
小便器の突出部に取り付けられる小便器用の飛散防止具において、小便器の突出部よりも幅広の部分を有する半楕円形状に本体受け部が設けられるとともに、小便器の突出部においてその内側と外側から挟み込むのように取り付けられる引っ掛け部が設けられていることを特徴とする小便器用の飛散防止具。
【請求項２】
小便器の突出部に取り付けられる小便器用の飛散防止具において、小便器の突出部よりも幅広の部分を有する半楕円形状に本体受け部が設けられるとともに、小便器の突出部に嵌まり込む開口部が設けられていることを特徴とする小便器用の飛散防止具。
【請求項３】
少なくとも前記本体受け部が合成樹脂製の透明部材であり、前記幅広部分を有する半楕円形状の内側に、小便のはね返りを防止する周縁凸部が設けられていることを特徴とする請求項１又は２記載の小便器用の飛散防止具。
【請求項４】
少なくとも前記本体受け部を透明材料にして、その中央位置や、中央引っ掛け部や左右の引っ掛け部を認識しやすくするとともに、小便器との位置合わせが行いやすくすることを特徴とする請求項１又は２記載の小便器用の飛散防止具。
【請求項５】
前記本体受け部の裏面に持ち手が設けられ、この持ち手を使用して交換作業を行うことを特徴とする請求項１から４のいずれか１項記載の小便器用の飛散防止具。
【請求項６】
前記内側と外側の引っ掛け部は、便器の中央を外側から取り付ける中央引っ掛け部と、小便器の内側から引っ掛けるする一方の引っ掛け部と他方の引っ掛け部とを備え、これらで小便器の外周を挟持すること特徴とする請求項１から３のいずれか１項記載の小便器用の飛散防止具。
【請求項７】
前記内側と外側の引っ掛け部は、板バネにより構成されて、小便器に対する本体受け部器の取り付け角度を変更するか、又は、前記開口部に差し込み状態を調節する板バネが配されていることを特徴とする請求項１又は２記載の小便器用の飛散防止具。
【請求項８】
前記本体受け部は、合成樹脂製であり、光触媒が塗布されており、紫外線などの光により光酸化反応、超親水化現象、消臭・防臭作用等の光触媒反応を生じさせることを特徴とする請求項１から７のいずれか１項記載の小便器用の飛散防止具。
【請求項９】
前記本体受け部は、合成樹脂製であり、前記内側と外側の引っ掛け部は、合成樹脂製の板バネであり、これらの表面にフッ素樹脂、シリコン樹脂がコーティングされているか、または、フッ素樹脂、シリコン樹脂などをコーティングした合成樹脂シートが貼付されていることを特徴とする請求項１から７のいずれか１項記載の小便器用の飛散防止具。
【請求項１０】
前記本体受け部に小便器に対する取り付け角度を変更するための角度変更部が取り付けられているか、又は、前記引っ掛け部に、本体受け部に対する傾斜角度を変更するための段差変更部が設けられていることを特徴とする請求項１から９のいずれか１項記載の小便器用の飛散防止具。
【請求項１１】
前記本体受け部に連結される連結用の連結用受け具を備えるとともに、前記本体受け部の内側と外側から挟み込むのように取り付けられる引っ掛け部が設けられているか、又は、前記本体受け部の突出部に嵌まり込む開口部が設けられていることを特徴とする請求項１から９のいずれか１項記載の小便器用の飛散防止具。
【発明の詳細な説明】
【技術分野】
【０００１】
この発明は、小便器の突出部に取り付けられる小便器用の飛散防止具に関する。
【背景技術】
【０００２】
トイレの男性用小便器などでは、その突出した受け部の奥行きが短かったり、便器に近づいて排泄しないと、便器の周囲の床面を汚して、清潔に保つことができない問題を有する。
なお、尿の排出後は、ボタン操作や自動的に水が流れるタイプの便器があるが、その水が溢れて出る事態も生じていた。
このため、特許文献１や特許文献２のような小便器用の飛散防止具が発明されている。
【０００３】
特許文献１には、「男子用便器４の尿受部２３の上方に取付けて、排泄された尿を受けて便器内に流し込む尿具１であって、該尿具は、本体受け部２と、本体受け部取付け具３を備え、前記本体受け部の突出部が便器の尿受部の先端よりも使用者側に突出して着脱自在に設けられた。」ものが開示されている。
【０００４】
特許文献２には、「（請求項１）既製の男性用便器の突出部分の縁に着脱金具を介して、その上面に断面Ｕ字形の尿受器を設けて便器と一体化して、便器の奥行きを延長したことを特徴とし、かつ尿受器の上面に繊維の編込品、或は短毛 ブラシ状に成形したシートを組付けて尿の跳ね及び飛散を防止して、既製便器に流れ込むように構成したことを特徴とする尿垂れ防止器。」が開示されている。
【先行技術文献】
【特許文献】
【０００５】
【特許文献１】実登３０４９３２８号公報
【特許文献２】実登３０５８９４５号公報
【発明の概要】
【発明が解決しようとする課題】
【０００６】
しかしながら、特許文献１や特許文献２等に示されているように従来の小便器用の飛散防止具は、ネジやビス等を使用するので、陶器製などの便器を損傷させてしまう問題や、便器の種類によっては取り付けが困難な場合があった。また、全体的に幅の狭い突出した形状であるために、小便の飛散を防止するうえでは狭すぎる問題を有していた。
また、飛散防止のためには、便器に対する取り付け角度が重要になるが、取り付け角度を変更できる工夫などはなかった。
さらに、着脱の際の簡単に持ち運べるような工夫がなく、交換するときに手が汚れるなどの問題点がある。
【０００７】
ところで、小便器には、下部側が突出した形状のものと、突出した形状で、円形状の便器に大別される。このような小便器に対して飛散防止具を取り付ける際、その中心を特定することが難しく、左右に位置ずれして取り付けられることがあり、飛散防止効果が有効に発揮されない問題を有していた。
また、小便器には、下方の突出部において、内側の凹み（内周凹部）が形成されているタイプと、これがない単なる外周壁として構成されているタイプに大別される。前記内側の凹み（内周凹部）が形成されているタイプでは、治具を引っ掛けることが容易であるが、これがない単なる外周壁として構成されているタイプでは、治具の取り付けが容易ではなかった。
さらに、小便器の悪臭の問題としては、小便器の下部側の突出部とその周辺（便器の周り）がそのトイレの悪臭の大きな要因となっているが、従来は、消臭剤や防臭剤などを配置したもの（消臭剤等を容器に入れた配置型）が小便器の消臭・防臭対策とされているか、または、小便器の下部側の突出部にビーズ状（球状）等の消臭剤や防臭剤を配置することが行われているが、小便器の下部側や中途部の突出部のほぼ全体にわたるような消臭・防臭対策はなされていなかった。
なお、目皿Ｍは、封水作用により臭気の上昇や逆流またはゴミの流出を防ぐ役割をしているが、この箇所からの悪臭が生じている事実がある。
【０００８】
そこで本発明の目的は、便器の種類を問わず着脱を容易かつ正確にして、その形状・大きさを工夫して飛散を防止したり、取付角度を変更できるようにしたり、さらには消臭・防臭対策を施した小便器用の飛散防止具を提供することにある。
【課題を解決するための手段】
【０００９】
本発明は、小便器の突出部に取り付けられる小便器用の飛散防止具において、小便器の突出部よりも幅広の部分を有する半楕円形状に本体受け部が設けられるとともに、小便器の突出部においてその内側と外側から挟み込むのように取り付けられる引っ掛け部が設けられていることを特徴とする。
本発明によれば、小便器の突出部よりも幅広の部分を有する半楕円形状に本体受け部が設けられているので、小便器の幅狭の突出部では尿の飛散が防止できなかったものでも、本発明の幅広部分を有する飛散防止具が飛散を防止することができる。
また、小便器の突出部においてその内側と外側から挟み込むように取り付けられる引っ掛け部が設けられているので、小便器の下方の突出部に簡単に取り付けることができる。
【００１０】
本発明は、小便器の突出部に取り付けられる小便器用の飛散防止具において、小便器の突出部よりも幅広の部分を有する半楕円形状に本体受け部が設けられるとともに、小便器の突出部に嵌まり込む開口部が設けられていることを特徴とする。
本発明によれば、小便器の突出部に嵌まり込む開口部が形成されているので、小便器の下方の突出部に前記開口部を嵌め込むようにして簡単に取り付けることができる。
【００１１】
本発明としては、前記本体受け部が合成樹脂製の透明部材であり、前記幅広部分を有する半楕円形状の内側に、小便のはね返りを防止する周縁凸部が設けられていることを特徴とする。
本発明によれば、小便のはね返りを防止する周縁凸部が設けられているので、尿の飛散や飛び跳ねが抑制されることとなる。
また、前記本体受け部が合成樹脂製の透明部材であることで、本来の小便器の位置を本体受け部を介して認識できるので、本来の排泄位置を確認できるとともに、本体受け部の幅の余裕のある間隔も認識できるので、使用者に安心感と余裕を与えることとなる。
なお、小便器に光触媒が塗布されている場合でも、透明部材で本体受け部が構成されていることで、光（紫外線）が届くこととなり、光触媒反応に促進に影響を与えることはない。
【００１２】
本発明としては、前記本体受け部は、合成樹脂製であり、光触媒が塗布されており、紫外線などの光により光酸化反応と超親水化現象を生じさせることを特徴とする。
本発明によれば、透明な樹脂などの合成樹脂に光触媒が塗布されて、紫外線が照射されることで（本体受け部に紫外線ランプを配置するなどしても良い。）、紫外線などの光により光酸化反応、超親水化現象や消臭・防臭を生じさせることにより、セルフクリーニング効果を生じさせることができる。
また、前記本体受け部は、合成樹脂製であり、前記内側と外側の引っ掛け部は、合成樹脂製の板バネであり、これらの表面にフッ素樹脂、シリコン樹脂がコーティングされているか、または、フッ素樹脂、シリコン樹脂などをコーティングした合成樹脂シートが貼付されていることを特徴とする。ここで、前記本体受け部の周縁凸部の内側からこれらを設けられているものでも良い。本発明によれば、撥水効果や汚れ防止などの効果が生じる。
本発明としては、本体受け部の裏面に、着脱操作するための持ち手が設けられていることを特徴とする。持ち手としては、裏面中央に棒状の把持部としたり、手で把持する剖出部を設けたり、後述する差し込み部（開口部）の凸部を利用しても良い。
本発明によれば、凹状受け部（受け部本体）に手が直接接触することなく、着脱させることができる。
【００１３】
本発明としては前記内側と外側の引っ掛け部は、便器の中央を外側から取り付ける中央引っ掛け部と、小便器の内側から引っ掛けるする一方の引っ掛け部と他方の引っ掛け部とを備えること特徴とする。ここで、前記内側と外側の引っ掛け部は、板バネにより構成されて、小便器に対する本体受け部器の取り付け角度を変更することができる。
本発明によれば、まず、便器の下方の突出部（円形の場合もある）に中央の引っ掛け部を当接させて、中央の位置合わせを行って、その左右の引っ掛け部を便器の内側に引っ掛けて、便器の突出部の外周壁を挟持することで取り付けるので、中央が定まり左右にずれる恐れが少なく、簡単に取り付けることができる。
【００１４】
本発明としては、前記本体受け部は、合成樹脂製であり、前記内側と外側の引っ掛け部は、合成樹脂製の板バネであり、これの表面にフッ素樹脂、シリコン樹脂がコーティングされているか、または、フッ素樹脂、シリコン樹脂などをコーティングした合成樹脂シートが貼付されていることを特徴とする。なお、小便器本体は、陶磁器製であるものが多いが、本体受け部（小便器用の飛散防止具）は、これよりも軽い樹脂製の部材である。
本発明によれば、匂いや汚れを防止する対策として有効である。また、板バネによる弾性力を持って、小便器の突出部に係止させるが、取付角度を考慮して取り付けることができる。
本発明としては、前記内側と外側の引っ掛け部は、板バネにより構成されて、小便器に対する本体受け部器の取り付け角度を変更することができることを特徴とする。
【００１５】
本発明としては、本体受け部の先端側に連結用の受け部が着脱自在に取り付けられている。連結用の受け部の構成としては、本体受け部（凹状本体）と同じような構成で足り、中央の引っ掛け部やその左右の引っ掛け部などで、受け部本体の先端側（外周縁）を挟持して取り付け連結させる。
本発明によれば、飛散防止具の本体ではその突出長さが短いに場合には、連結用の突出部を連結させて使用することができる。
【００１６】
なお、本発明としては、前記本体受け部に排泄目標物が設けられ、この排泄目標物を目掛けて排尿させることが好ましい。
本発明によれば、アーチ状排泄目標物の内部を通過させるように排尿の目標とさせることで、飛散が防止できる。
【００１７】
本発明としては、前記本体受け部を透明にして、その中央位置や、中央引っ掛け部や左右の引っ掛け部を認識しやすくするとともに、小便器との位置合わせが行いやすくすることを特徴とする。
本発明によれば、前記本体受け部を透明にすることで（合成樹脂による透明、半透明を含む）、その中央位置や、中央引っ掛け部や左右の引っ掛け部を認識しやすくするとともに、小便器との位置合わせが行いやすくなる。
【発明の効果】
【００１８】
本発明によれば、小便器や中途部の突出部よりも幅広の部分を有する半楕円形状に本体受け部が設けられているので、小便器の幅狭の突出部では尿の飛散が防止できなかったものでも、本発明の幅広部分を有する飛散防止具が飛散を防止することができる。また、小便器の突出部においてその内側と外側から挟み込むのように取り付けられる引っ掛け部が設けられているので、小便器の下方の突出部に簡単に取り付けることができる。
また、小便器の突出部に嵌まり込む開口部が形成されているので、小便器の下方の突出部に前記開口部を嵌め込むようにして簡単に取り付けることができる。
さらに、小便器の下部や中途部の突出部に、本発明の本体受け部が配置されることで、この位置まで洗浄水が流れるタイプの小便器においては、その洗浄水が溢れ出る事態を防止したり、または、洗浄水の排出パイプを本発明の本体受け部に配置して、この位置からも洗浄水を流すことも可能である
【図面の簡単な説明】
【００１９】
【図１】本発明の第１の実施形態の小便器用の飛散防止具を示す斜視図である。
【図２】上記実施形態の小便器用の飛散防止具をその内部構造を示す斜視図である。
【図３】上記実施形態の小便器用の飛散防止具を示す斜視図である。
【図４】本発明の第２の実施形態の小便器用の飛散防止具を示す図であり、図４（ａ）は正面側からの斜視図であり、図４（ｂ）は裏面側からの斜視図である。
【図５】上記実施形態の小便器用の飛散防止具を示す斜視図である。
【図６】上記実施形態の小便器用の飛散防止具他の例を示す斜視図である。
【図７】上記実施形態の小便器用の飛散防止具の他の例を示す斜視図である。
【図８】上記実施形態の小便器用の飛散防止具を示す斜視図である。
【図９】上記実施形態の小便器用の飛散防止具を示す視図である。
【図１０】上記実施形態の小便器用の飛散防止具の他の例を示す斜視図である。
【図１１】上記実施形態の小便器用の飛散防止具の他の例を示す斜視図である。
【図１２】上記実施形態の小便器用の飛散防止具の他の例を示す斜視図である。
【発明を実施するための形態】
【００２０】
以下、本発明を適用した具体的な実施の形態について、図面を参照しながら詳細に説明する。
【００２１】
（第１の実施の形態）
図１ないし図４は本発明の小便器用の飛散防止用具１の例を示すものであり、小便器１０に取付けた実施例を示したものである。
第１の実施の形態の小便器用の飛散防止具１は、小便器１０の下部の突出部１０ａに取り付けられるものであり、小便器１０の下部の突出部１０ａの幅Ｈよりも幅広の部分Ｈ１を有する半楕円形状に本体受け部２が設けられている。本体受け部２の裏面側に開口部１３、すなわち小便器１０の突出部や円形部に嵌まり込む差し込み部１３が設けられている（図４（ａ）（ｂ））。これにより、簡単に取り付けられる構造である。また、この構造が、裏面側では、膨出部となり、裏面側の持ち手７にもなっている。第二の実施の形態としては、その飛散防止具１の全体を透明樹脂にして、内部を見ながら位置合わせ（差し込むこと）が可能にしても良い（図１２）。
また、本体受け部の中央には、角度調節部９が略扇形状に設けられている。角度調節部９は、小便器１０の下部の突出部１０ａと接触して、取付角度が得られて支持されるようにするものであるとともに、小便の排出を中央に集める役割を有する。また、 中央位置を示して、小便の排出する向きを示す（小便の排出する目印）役割も有する。反射材や蓄光材料を配置したり、光触媒との関係では、光源を配置して、光触媒反応を促進させる働きも有する。
【００２２】
本体受け部２は、全体形状が半楕円形状で、断面が凹状を呈しており、便器１０の下方の突出部に取り付けられると、円弧状の突出部２ａを上方にして斜めに取り付けられる。また、本体２は、その断面が凹状の内側には、周縁凸部３が形成されており、尿の飛散が防止される。本体受け部２は、フッ素系樹脂でコーティングされていることが好ましい。
また、洗剤効果と抗菌・防カビ・芳香・光触媒などの機能性をあわせもつタイルやコーティングが施されていることが好ましい。また、本体受け部２の表面に形成されるフッ素樹脂皮膜が撥水撥油性を発揮し、強力に水や油をはじく。油脂類のバリヤ（はいあがり防止）・拡散防止・付着防止・防汚などのコーティングや、これらのシート材を配置することが好ましい。なお、周縁凸部３や角度調節部９には、その位置が分かるように、反射材や蓄光材料等を配することが可能である。
光触媒反応としては、本体受け部２を透明な樹脂として、酸化チタンなどの光触媒をコーティングすることで（透明な光触媒層を塗布することで）、本体受け部２の全体に光が照射され、酸化チタンをコーティングしたところは水が薄く広がって流れるようになり、汚れを洗い流す。すなわち、酸化チタンに光を照射すると、その表面が親水化して接触角がゼロに近くなり、水が薄い膜になって広がる（光酸化反応と超親水化現象を利用することによるセルフクリーニング効果）。また、酸化チタンをコーティングした本体受け部２に青色の色素であるメチレンブルーをつけて前記光源から光を照射すると、光があたった部分だけが白くなる。光酸化反応が生じて、酸化チタンなどの光触媒によって空気中で有機物二酸化炭素にまで完全酸化される。なお、光触媒が塗布された透明な樹脂の本体受け部２の裏面側に紫外線ランプや紫外線ＬＥＤを配置して（前記周縁凸部３や角度調節部９）、本体受け部２に紫外線を照射させる構造にすることが可能である。また、蓄光型の光触媒としては、蓄光顔料と光触媒を活性炭などの基材上に塗布したものとしたり、また、光触媒と蓄光材料層を積層した光触媒（例えば、特許文献２参照。）や、光励起半導体表面にエレクトロクロミック材料を担持した蓄貯蔵型光触媒を使用しても良い。
本体受け部２の透明な樹脂としては、塩化ビニル系樹脂、ポリカーボネート樹脂、アクリル樹脂が好適である。なお、周縁凸部３や角度調節部９には、光触媒との関係で、紫外線灯の光を照射する光源を配置することが可能である。
光触媒層は、光触媒粒子、シリカもしくはシリコン樹脂と、必要に応じて分散剤やバインダーとを分散させて形成した層であって、これに含有されている光触媒粒子により、悪臭成分や低分子量有機物を分解したり、抗菌・防黴作用を発揮したり、親水性を発現させるなどの光触媒作用を行う。光触媒粒子としては、紫外線で活性化する粒子、可視光で活性化する粒子のいずれもが使用可能である。紫外線活性化粒子としては、酸化チタン、酸化亜鉛、酸化錫、ＳｒＴｉＯ３、ＷＯ３などの金属酸化物が用いられる。
【００２３】
前記本体受け部２としては、尿素樹脂、メラミン樹脂等の熱硬化性樹脂やＦＲＰ（繊維強化樹脂）や他の無機質材料とブレンドした材料等を用いることもできる。その他、使用する樹脂や目的に応じて、種々の薬剤を添加して臭や汚れ細菌の繁殖を防ぎ、難燃化対策を施すことが好ましい。
例えば、汚れ防止としては本体受け部２の表面にフッ素系樹脂被膜を形成する方法、界面活性剤や帯電防止剤を混合した表面処理剤で処理する方法等がある。また、前記本体受け部２と前記内側と外側の引っ掛け部５，６は、合成樹脂製の板バネであり、これの表面にフッ素樹脂、シリコン樹脂がコーティングされているか、または、フッ素樹脂、シリコン樹脂などをコーティングした合成樹脂シートが貼付されていることが好ましい。
また、撥水加工が施されているものが好ましい。これらの樹脂層と、前記光触媒層との多重層としても良い。
【００２４】
次に、本発明の小便器用の飛散防止具１を便器１０に取り付ける場合には、小便器の下部の突出部１０ａに対して、前記開口部（差し込み部）１３を差し込むようにして取り付ける。このとき浅く差し込むか、深く差し込むかで、本体受け部２の便器１０に対する取り付け角度調整が可能になっている。
なお、開口部１３にゴム材やウレタンを配したり、板バネ１６を配置して（図１２（ｂ））、弾力性をもって差し込むことができるとともに、角度調整が可能に構成しても良い。
また、開口部１３に、不織布シートに光触媒を加工してある光触媒シートや、光触媒（酸化チタン）のナノシートを使うことにより、望みの場所を何度でも光加工できるヒドロゲル、すなわち有機ポリマーと酸化チタンナノシートとを連結することにより３次元の網目を形成し、網目の隙間に大量の水を閉じ込めたナノシート（樹脂シート）したものを配置させることも可能である。
【００２５】
（第２の実施の形態）
図５ないし図７は本発明の小便器用の飛散防止用具１の例を示すものであり、小便器１０に取付けた実施例を示したものである。
第２の実施の形態の小便器の飛散防止具１には、小便器１０の下部の突出部１０ａにおいてその内側と外側から挟み込むのように取り付けられる引っ掛け部５，６が設けられている。引っ掛け部５，６は、中央の引っ掛け部５と、その左右の引っ掛け部６，６により、小便器１０の下部の突出部１０ａを内側と外側とから挟み込むようにしてする。中央引っ掛け部５と、その左右の引っ掛け部６，６により、小便器１０の下部の突出部１０ａを内側と外側とから挟み込むようにしてする。
ここで、前記内側と外側の引っ掛け部５，６は、合成樹脂製の板バネにより構成されていることが好ましい。また、左右の引っ掛け部６，６には、折れ曲がり部６ａが設けられて、前記板バネとして弾性力が強く発揮されるようにし、かつ、小便器１０の内側（小便器の外周端縁が内側に及んでいるタイプ）に係止し易いようにしている。
また、角度調節部９が設けられている。この角度調節部９は、裏面の折り曲げ部９ａにより、小便器１０の先端部１０ａに面状に接触して（所定角度で接触して）、本体受け部２を所定角度に支持する役割と、小便を本体受け受け部２から小便器１０に流す役割を有する。
ここで、図６（ａ）は合成樹脂製の本体受け部２であり、図６（ｂ）は透明な合成樹脂製の本体受け部２であり、周縁凸部３や角度調節部９により中央の樹脂部分が覆われているが、周縁凸部３や角度調節部９に反射材や蓄光材や光源を配置して、中央の樹脂部分の光触媒反応（消臭・防臭機能、超親水効果作用、）
【００２６】
次に、本発明の小便器用の飛散防止具１を便器１０に取り付ける場合には、小便器１０の下部の突出部１０ａに前記引っ掛け部５、６を引っ掛ける（図８（ａ）（ｂ））。小便器１０の下部の突出部１０ａが円形のタイプである場合でも、前記内側と外側の引っ掛け部５，６の板バネ構造により、所定の角度に引っ掛けることができる。また、前記中央の引っ掛け部５は、便器１０に対して前方から引っ掛ける。また、左右の引っ掛け部６，６は、便器１０の内側から引っ掛けて、これらで挟み込むようにする。このとき、本体受け部の便器１０に対する取り付け角度は、前記引っ掛け部５，６の挟み込み方により調整が可能になっている。また、前記突出部１０ａの中央部に引っ掛け部５を固定する場合は、目印をつけてから固定したり、引っ掛け部をＴ字状に形成して、前記突出部１０ａに位置合わせしても良い。
なお、便器１０から飛散防止具１を取り外すときには、本体受け部２の裏面の持ち手７をもって取り外すことで、手を汚さずに取り外すことができる。
ここで、便器１０の下方底部に配置する例で説明したが、所定高さの位置が底部となる小便器１０にも適用可能である。この場合の傾斜角度は平行度を０度とした場合、０度から３０度程度以内にして取り付けることが好ましい。
【００２７】
また、前記本体受け部２の裏面に持ち手７が設けられるが、この持ち手７とともに、前記本体受け部２に小便器１０に対する取り付け角度を変更するための角度変更部５ａが取り付けられている。この角度調節部５ａは、本体裏面に段差がいくつか形成されており、持ち手７の取り付け角度、つまり本体に対する傾斜角度を変更するための段差変更部５ａである。
なお、上記角度調節部５ａは、持ち手７の先端側（本体裏面側）に段差による角度調節部７ａとして設けることも可能である。
【００２８】
ここで、前記本体受け部２にアーチ状の排泄目標物１４が設けられ、このアーチ状部材内を通過させるように排尿の目標とさせることができる（図１１（ｂ））。この目標の設定により、飛散効果が高められるとともに、アーチ状状部材１４のカバーによっても、飛散防止効果が発揮される。
また、前記アーチ状の通過穴１４から便器１０の目皿（図示せず）の位置が視覚的に入らないように、前記排泄目標物（アーチ状状部材）１４が取り付けられているか、又は、便器１０の目皿Ｍの位置が視覚的に入らないように、前記アーチ状の排泄目標物１４が取り付けられている。
なお、目皿Ｍは、封水作用により臭気の上昇や逆流またはゴミの流出を防ぐ役割をしているが、この箇所からの悪臭が生じている事実がある。便所と浴室などの床の排水口にはめ込まれているもの、洗面器や流し台の排水口にはめ込まれているもの、男子用小便器１０の排水口にはめ込まれているものがあり、それぞれ臭気の上昇や逆流またはゴミ詰まりを防ぐ役割がある。
【００２９】
以上、本発明では、本発明の飛散防止具を小便器１０の下方底部に配置する例で説明したが、所定高さの位置が底部となる小便器１０にも適用可能である。また、鋭意角度に突出する突出型のほかに、円弧状に突出するタイプにも嵌め込みや引っ掛け部を使用して配置することが可能である。このように、本発明は、その趣旨を逸脱しない範囲で適宜変更が可能であることは言うまでもない。
【符号の説明】
【００３０】
１          本発明の小便器用の飛散防止具、
２          本体受け部、２ａ  開口部（差し込み部）、
３          内側の溝（周縁凸部）、
５，１５    持ち手（中央の引っ掛け部）、５ａ  段差変更部、
５，６      引っ掛け部（左右の引っ掛け部）、６ａ  折り曲げ部、
７          持ち手（中央の引っ掛け部），  ７ａ  段差変更部、
９          角度調節部（面状接触部）、
１０        便器（小便器）、１０ａ  便器の下方の突出部、
１１        連結用の受け部、
１３        開口部（差し込み部）、
１６        板バネ、
Ｍ          便器の目皿、
Ｈ          便器の下方の突出部(先端部)の幅、Ｈ１  広幅の部分、
【図１】
2020026629.tif 000003
【図２】
2020026629.tif 000004
【図３】
2020026629.tif 000005
【図４】
2020026629.tif 000006
【図５】
2020026629.tif 000007
【図６】
2020026629.tif 000008
【図７】
2020026629.tif 000009
【図８】
2020026629.tif 000010
【図９】
2020026629.tif 000011
【図１０】
2020026629.tif 000012
【図１１】
2020026629.tif 000013
【図１２】
2020026629.tif 000014